(57)【特許請求の範囲】
【請求項１】
コンパスの針と筆記具芯との間隔を任意に設定する機能を有する定規であって、
少なくとも一方の長辺に沿って設けられた目盛部、当該目盛部の原点に対応する位置に設けられたコンパス針挿入用孔、及び、前記目盛部に沿って設けられた案内構造を有する定規本体と、
前記案内構造に沿って移動可能な可動プレートであって、前記案内構造に沿って移動したときに前記目盛部に沿った自身の位置を読み取るために前記目盛部のいずれかの部分を指す指針、及び、前記指針が指す部分に対応する位置に設けられたコンパス筆記具芯挿入用孔を有する可動プレートとを備え、
前記定規本体には、前記コンパス筆記具芯挿入用孔とは別のコンパス筆記具芯挿入用孔であって、前記コンパス針挿入用孔との間隔の異なる複数の第２コンパス筆記具芯挿入用孔が設けられ、
前記コンパス針挿入用孔と前記第２コンパス筆記具芯挿入用孔との間隔は、前記コンパス針挿入用孔と前記コンパス筆記具芯挿入用孔との最小間隔よりも狭いことを特徴とする定規。
【請求項２】
前記コンパス針挿入用孔と前記コンパス筆記具芯挿入用孔との最小間隔は、１０ｍｍであり、
前記定規本体には、前記複数の第２コンパス筆記具芯挿入用孔として、１ｍｍ間隔で並ぶ複数の第２コンパス筆記具芯挿入用孔が設けられ、
コンパスの針と筆記具芯との間隔を１０ｍｍよりも狭い間隔に設定可能であることを特徴とする請求項１に記載の定規。
【請求項３】
前記案内構造は、前記目盛部に沿って設けられた案内溝からなることを特徴とする請求項１又は２に記載の定規。
【請求項４】
前記案内構造は、前記目盛部に沿って設けられた案内レールからなることを特徴とする請求項１又は２に記載の定規。
【請求項５】
前記コンパス針挿入用孔の中心と、前記コンパス筆記具芯挿入用孔の中心は、前記一方の長辺に平行な１本の直線上に位置することを特徴とする請求項１〜４のいずれかに記載の定規。
【請求項６】
前記定規本体の底面側には、磁石が取り付けられていることを特徴とする請求項１〜５のいずれかに記載の定規。
【発明の詳細な説明】
【技術分野】
【０００１】
本発明は、定規に関する。特に、コンパスの針と筆記具芯との間隔を任意に設定する機能を有する定規に関する。
【背景技術】
【０００２】
従来、直角定規、三角定規、平行定規、分度器、コンパス、テンプレートとして使用できる定規（多機能定規）が知られている。（例えば、特許文献１参照。）。図９及び図１０は、特許文献１に記載された定規３０（以下、従来の定規３０という。）を説明するために示す図である。図９（ａ）は定規３０を構成する第１の定規Ａの平面図であり、図９（ｂ）は第１の定規Ａの側面図である。また、図１０（ａ）は定規３０を構成する第２の定規Ｂの平面図であり、図１０（ｂ）は第２の定規Bの側面図である。
【０００３】
従来の定規３０は、図９及び図１０に示すように、第１の定規Ａと、その第１の定規Ａに対して着脱自在で回動すべく連結する第２の定規Ｂとよりなる。第１の定規Ａは目盛り１を有する第１の直線縁２と、その第１の直線縁２の端部より直角方向に伸びる第２の直線縁３とを有する。第２の定規Ｂは目盛り１３を有する第１の直線縁１４を有する。第１の定規Ａは、分度目盛り６と、複数個の径の異なる小円の透孔８，８，・・・からなる円のテンプレートを有する。第２の定規Ｂは、その第１の直線縁１４に沿って平行に延びる目盛り１５を有するスライドレール１６と、このスライドレール１６の摺動ミゾに摺動すべく嵌合したスライダＣとを有し、コンパス用の中心針ねじ１８を螺合し、この中心針ねじ１８の位置は上記スライドレール１６の中心線上目盛り１５の零位置にし、上記スライダＣにはスライダＣを固定するねじ２０と筆記具の芯挿入用の透孔２１が設けられている。
【０００４】
従来の定規３０によれば、第２の定規Ｂ単独で中心針ねじ１８とスライダＣの筆記具の芯挿入用の透孔２１とで任意な径の円を描くことができ、コンパスとして使用できる。このため、従来の定規３０によれば、第２の定規Ｂがコンパスの役割を果たすため、別途コンパスを準備しなくても円を描くことができる。
【先行技術文献】
【特許文献】
【０００５】
【特許文献１】特開平０９‐２０７４９６号公報
【発明の開示】
【発明が解決しようとする課題】
【０００６】
しかしながら、従来の定規３０においては、両手を使って操作する必要があり、また、持ち替え操作なしには３６０度の円を描くこともできず、また、円を描く際に、コンパス用中心針１８を出し入れする操作や筆記用芯を固定する操作が別途必要となり、操作が煩雑であるという問題がある。また、従来の定規３０においては、円を描く際に紙と第２の定規Ｂが擦れ、芯の粉などで紙が汚れてしまうという問題がある。さらにまた、従来の定規３０においては、短いとはいえコンパス用中心針１８が定規本体から突出する可能性があるため、また、定規の使用者は、円を描くとき以外は針に注意が行かないのが普通でため、危険であるという問題がある。
【０００７】
そこで、本発明は、このような従来の定規３０が有する問題を解決するためになされたもので、コンパスとともに使用することで、簡単な操作で、かつ、紙を汚さずに円を描くことができ、さらには、常に安全に使用可能な定規を提供することを目的とする。
【課題を解決するための手段】
【０００８】
［１］本発明の定規は、コンパスの針と筆記具芯との間隔を任意に設定する機能を有する定規であって、少なくとも一方の長辺に沿って設けられた目盛部、当該目盛部の原点に対応する位置に設けられたコンパス針挿入用孔、及び、前記目盛部に沿って設けられた案内構造を有する定規本体と、前記案内構造に沿って移動可能な可動プレートであって、前記案内構造に沿って移動したときに前記目盛部に沿った自身の位置を読み取るために前記目盛部のいずれかの部分を指す指針、及び、前記指針が指す部分に対応する位置に設けられたコンパス筆記具芯挿入用孔を有する可動プレートとを備えることを特徴とする。
【０００９】
［２］本発明の定規においては、前記案内構造は、前記目盛部に沿って設けられた案内溝からなることが好ましい。
【００１０】
［３］本発明の定規においては、前記案内構造は、前記目盛部に沿って設けられた案内レールからなることが好ましい。
【００１１】
［４］本発明の定規においては、前記コンパス針挿入用孔の中心と、前記コンパス筆記具芯挿入用孔の中心は、前記一方の長辺に平行な１本の直線上に位置することが好ましい。
【００１２】
［５］本発明の定規においては、前記定規本体には、前記コンパス筆記具芯挿入用孔とは別のコンパス筆記具芯挿入用孔であって、前記コンパス針挿入用孔との間隔の異なる複数の第２コンパス筆記具芯挿入用孔が設けられていることが好ましい。
【００１３】
［６］本発明の定規においては、前記定規本体の底面側には、磁石が取り付けられていることが好ましい。
【発明の効果】
【００１４】
本発明の定規によれば、案内構造に沿って可動プレートを所定の位置まで移動させた後、定規本体に設けられたコンパス針挿入用孔にコンパスの針を挿入するとともに、可動プレートに設けられたコンパス筆記具芯挿入用孔にコンパスの筆記具芯を挿入することにより、コンパスの針とコンパスの筆記具芯との間隔を所定の間隔に正確に設定することができる。また、本発明の定規によれば、定規本体に設けられたコンパス針挿入用孔にコンパスの針を挿入するとともに、可動プレートに設けられたコンパス筆記具芯挿入用孔にコンパスの筆記具芯を挿入した後、案内構造に沿って可動プレートを所定の位置まで移動させることによっても、コンパスの針とコンパスの筆記具芯との間隔を任意かつ正確に設定することができる。その結果、本発明の定規によれば、このようにしてコンパスの針とコンパスの筆記具芯との間隔が任意かつ正確に設定されたコンパスを用いて、任意な径の円を正確に描くことができる。
【００１５】
このように、本発明の定規によれば、円を描く操作自体は、コンパスを用いて行うことができるため、片手で操作するだけで円を描くことができる。また、持ち替え操作なしに３６０度の円を描くこともできる。また、円を描く際、従来の定規３０の場合に必要であった、コンパス用中心針１８を出し入れする操作や筆記用芯を固定する操作が必要なくなる。その結果、本発明の定規によれば、簡単な操作で円を描くことができる。
【００１６】
また、本発明の定規によれば、上記したように、円を描く操作自体は、コンパスを用いて行うことができるため、従来の定規３０の場合とは違って、紙を汚さずに円を描くことができる。
【００１７】
さらにまた、本発明の定規によれば、定規自体には針が付いていないことから、常に安全に使用することができる。
【００１８】
その結果、本発明の定規は、コンパスとともに使用することで、簡単な操作で、かつ、紙を汚さずに円を描くことができ、さらには、常に安全に使用可能な定規となる。
【図面の簡単な説明】
【００１９】
【図１】実施形態１に係る定規１００を説明するために示す図である。
【図２】定規本体１１０を説明するために示す図である。
【図３】可動プレート１２０を説明するために示す図である。
【図４】実施形態１に係る定規１００を使用してコンパスの針と筆記具芯との間隔を設定する手順を説明するために示す図である。
【図５】実施形態２に係る定規１０１を説明するために示す図である。
【図６】実施形態３に係る定規１０２を説明するために示す図である。
【図７】変形例１に係る定規１０３を説明するために示す図である。
【図８】変形例２に係る定規１０４を説明するために示す図である。
【図９】従来の定規３０を説明するために示す図である。
【図１０】従来の定規３０を説明するために示す図である。
【発明を実施するための形態】
【００２０】
以下、本発明の定規について、図に示す実施形態に基づいて詳細に説明する。
【００２１】
［実施形態１］
１．実施形態１に係る定規１００の構成
図１は、実施形態１に係る定規１００を説明するために示す図である。図１（ａ）は定規１００の平面図であり、図１（ｂ）は図１（ａ）のＡ−Ａ断面図であり、図１（ｃ）は図１（ａ）のＢ−Ｂ断面図である。
【００２２】
図２は、定規本体１１０を説明するために示す図である。図２（ａ）は定規本体１１０の平面図であり、図２（ｂ）は図２（ａ）のＣ−Ｃ断面図であり、図２（ｃ）は図２（ａ）のＤ−Ｄ断面図であり、図２（ｄ）は図２（ａ）のＡ−Ａ断面図であり、図２（ｅ）は図２（ａ）のＢ−Ｂ断面図である。
図３は、可動プレート１２０を説明するために示す図である。図３（ａ）は可動プレート１２０の平面図であり、図３（ｂ）は可動プレート１２０の正面図であり、図３（ｃ）は可動プレート１２０の側面図である。
【００２３】
図４は、実施形態１に係る定規１００を使用してコンパスの針と筆記具芯との間隔を設定する手順を説明するために示す図である。図４（ａ）〜図４（ｃ）は各工程図である。
【００２４】
実施形態１に係る定規１００は、図４に示すように、コンパスの針と筆記具芯との間隔を任意に設定する機能を有する定規であって、図１に示すように、定規本体１１０と、可動プレート１２０とを備える。
【００２５】
定規本体１１０は、図１及び図２に示すように、少なくとも一方の長辺に沿って設けられた目盛部１１１、当該目盛部１１１の原点に対応する位置に設けられたコンパス針挿入用孔１１５、及び、目盛部１１１に沿って設けられた案内構造１１２を有する。
【００２６】
可動プレート１２０は、図１及び図３に示すように、案内構造１１２に沿って移動可能な可動プレートである。そして、案内構造１１２に沿って移動したときに目盛部１１１に沿った自身の位置を読み取るために目盛部１１１のいずれかの部分を指す指針１２４、及び、指針１２４が指す部分に対応する位置に設けられたコンパス筆記具芯挿入用孔１２３を有する。
【００２７】
案内構造１１２は、図１及び図２に示すように、目盛部１１１に沿って設けられた案内溝１１３からなる。案内溝１１３の内部には、貫通孔１１４が設けられている。
【００２８】
定規本体１１０には、図１及び図２に示すように、コンパス筆記具芯挿入用孔１２３とは別のコンパス筆記具芯挿入用孔として、コンパス針挿入用孔１１５との間隔の異なる複数の第２コンパス筆記具芯挿入用孔１１６が設けられている。
【００２９】
コンパス針挿入用孔１１５の直径は、例えば０．０５〜０．３ｍｍの範囲内に設定されている。コンパス針挿入用孔１１５の深さは、例えば０．１〜２ｍｍの範囲内に設定されている。
【００３０】
コンパス筆記具芯挿入用孔１２３及び第２コンパス筆記具芯挿入用孔１１６の直径は例えば０．４〜０．８ｍｍに設定する。コンパス筆記具芯挿入用孔１２３及び第２コンパス筆記具芯挿入用孔１１６の深さは、例えば０．１〜２ｍｍの範囲内に設定されている。目盛部１１１の０ｍｍの目盛位置とコンパス針挿入用孔１１５の中心は、前記一方の長辺に直交する１本の直線上に位置する。
【００３１】
可動プレート１２０は、図１及び図３に示すように、案内溝１１３に対応する形状を有するに可動プレート１２１本体と、貫通孔１１４に対応する形状を有する可動プレート凸部１２２とを有する。指針１２４は、可動プレート１２１本体の上面に貼り付けられている。指針１２４の先端部の幅は、例えば０．２〜１ｍｍの範囲内に設定されている。指針１２４の先端部とコンパス筆記具芯挿入用孔１２３の中心は、前記一方の長辺に直交する１本の直線上に位置する。
【００３２】
２．実施形態１に係る定規１００の使用方法
使用方法の一つ目として、初めに図４（ａ）に示すように左端にある可動プレート１２０を、図４（ｂ）に示すように、案内構造１１２に沿って所定の位置まで移動させた後、定規本体１１０に設けられたコンパス針挿入用孔１１５にコンパスの針１３１を挿入するとともに、可動プレート１２０に設けられたコンパス筆記具芯挿入用孔１２３にコンパスの筆記具芯１３２を挿入する（図４（ｃ）参照。）。その後、コンパス１３０を定規１００から取り外せばコンパスの針１３１とコンパスの筆記具芯１３２との間隔を任意かつ正確に設定することができる。
【００３３】
使用方法の二つ目として、図示はしていないが初めに案内構造１１２の左端にある可動プレート１２０に設けられたコンパス筆記具芯挿入用孔１２３にコンパス筆記具芯１３２を挿入するとともに、定規本体１１０に設けられたコンパス針挿入用孔１１５にコンパスの針１３１を挿入した後、案内構造１１２に沿って可動プレート１２０を所定の位置まで移動させる。その後、コンパス１３０を定規１００から取り外せばコンパスの針１３１とコンパスの筆記具芯１３２との間隔を任意かつ正確に設定することができる。
【００３４】
使用方法の三つ目として、初めに定規本体１１０に設けられたコンパス針挿入用孔１１５にコンパスの針１３１を挿入し、その上に位置するとともに１ｍｍ間隔で並ぶ複数の第２コンパス筆記具芯挿入用孔１１６のうち所定の第２コンパス筆記具芯挿入用孔１１６にコンパス筆記具芯１３２を挿入する。その後、コンパス１３０を定規本体１１０から取り外せばコンパスの針１３１とコンパスの筆記具芯１３２との間隔を１０ｍｍよりも短い間隔に設定することができる。
【００３５】
３．実施形態１に係る定規１００の効果
実施形態１に係る定規１００によれば、案内構造１１２に沿って可動プレート１２０を所定の位置まで移動させた後、定規本体１１０に設けられたコンパス針挿入用孔１１５にコンパスの針を挿入するとともに、可動プレート１２０に設けられたコンパス筆記具芯挿入用孔１２３にコンパスの筆記具芯を挿入することにより、コンパスの針とコンパスの筆記具芯との間隔を所定の間隔に正確に設定することができる。また、図示はしていないが、定規本体１１０に設けられたコンパス針挿入用孔１１５にコンパスの針を挿入するとともに、可動プレート１２０に設けられたコンパス筆記具芯挿入用孔１１２にコンパスの筆記具芯を挿入した後、案内構造１１２に沿って可動プレート１２０を所定の位置まで移動させることによっても、コンパスの針とコンパスの筆記具芯との間隔を任意かつ正確に設定することができる。その結果、実施形態１に係る定規１００によれば、このようにしてコンパスの針とコンパスの筆記具芯との間隔が任意かつ正確に設定されたコンパスを用いて、任意な径の円を正確に描くことができる。
【００３６】
このように、実施形態１に係る定規１００によれば、円を描く操作自体は、コンパスを用いて行うことができるため、片手で操作するだけで円を描くことができる。また、持ち替え操作なしに３６０度の円を描くこともできる。また、円を描く際、従来の定規３０の場合に必要であった、コンパス用中心針１８を出し入れする操作や筆記用芯を固定する操作が必要なくなる。その結果、実施形態１に係る定規１００によれば、簡単な操作で円を描くことができる。
【００３７】
また、実施形態１に係る定規１００によれば、上記したように、円を描く操作自体は、コンパスを用いて行うことができるため、従来の定規３０の場合とは違って、紙を汚さずに円を描くことができる。
【００３８】
さらにまた、実施形態１に係る定規１００によれば、定規自体には針が付いていないことから、常に安全に使用することができる。
【００３９】
その結果、実施形態１に係る定規は、コンパスとともに使用することで、簡単な操作で、かつ、紙を汚さずに円を描くことができ、さらには、常に安全に使用可能な定規となる。
【００４０】
また、実施形態１に係る定規１００によれば、案内構造１２２が、目盛部１１１に沿って設けられた案内溝１１３からなることから、単純な構造で、可動プレートを案内構造に沿って移動可能なものとすることができる。
【００４１】
また、実施形態１に係る定規１００によれば、コンパス針挿入用孔１１５の中心と、コンパス筆記具芯挿入用孔１２３の中心は、一方の長辺に平行な１本の直線上に位置することから、コンパスの針と筆記具芯との間隔を正確に設定することができる。
【００４２】
なお、実施形態１に係る定規１００においては、可動プレート１２０を左端に移動させた場合であっても、コンパス針挿入用孔１１５とコンパス筆記具芯挿入用孔１２３との間隔を１０ｍｍよりも短い間隔に設定することができない。しかしながら、実施形態１に係る定規１００においては、図１及び図２に示すように、コンパス筆記具芯挿入用孔１２３とは別のコンパス筆記具芯挿入用孔として、コンパス針挿入用孔１１５との間隔の異なる複数の第２コンパス筆記具芯挿入用孔１１６が設けられている。これにより、コンパスの針と筆記具芯との間隔を１０ｍｍよりも短い間隔に設定することができる。
【００４３】
［実施形態２］
図５は、実施形態２に係る定規１０１を説明するために示す図である。図５（ａ）は定規１０１の平面図であり、図５（ｂ）は図５（ａ）のＡ−Ａ断面図であり、図５（ｃ）は図５（ａ）のＢ−Ｂ断面図である。
【００４４】
実施形態２に係る定規１０１は、図５に示すように、可動プレート１２０を移動させる案内構造１１２として、案内溝１１３の内部に案内レール１１７を設けた案内構造を備える。案内レール１１７は可動プレート１２０に向けて凸状になっている。
【００４５】
このように、実施形態２に係る定規１０１は、案内構造１１２の構成が実施形態１に係る定規１００とは異なるが、実施形態１に係る定規１００の場合と同様に、円を描く操作自体は、コンパスを用いて行うことができるため、実施形態１に係る定規１００が有する効果と同様の効果を有する。
【００４６】
［実施形態３］
図６は、実施形態３に係る定規１０２を説明するために示す図である。図６（ａ）は定規１０２の平面図であり、図６（ｂ）は図６（ａ）のＡ−Ａ断面図であり、図６（ｃ）は図６（ａ）のＢ−Ｂ断面図である。
【００４７】
実施形態３に係る定規１０２は、図６に示すように、可動プレート１２０を移動させる案内構造１１２として、定規本体１１０の上面に案内レール１１８を設けた案内構造を備える。
【００４８】
定規本体１１０の両端の高さを上げ、可動プレート１２０が横に落ちないようなストッパーの役目をする構造になっている。
【００４９】
このように、実施形態３に係る定規１０２は、案内構造１１２の構成が実施形態１に係る定規１００とは異なるが、実施形態１に係る定規１００の場合と同様に、円を描く操作自体は、コンパスを用いて行うことができるため、実施形態１に係る定規１００が有する効果と同様の効果を有する。
【００５０】
以上、本発明を上記の実施形態に基づいて説明したが、本発明は上記の実施形態に限定されるものではない。その趣旨を逸脱しない範囲において種々の態様において実施することが可能であり、例えば、次のような変形も可能である。
【００５１】
（１）上記各実施形態に係る定規は、案内構造として、案内溝の内部に貫通孔が設けられた案内構造（実施形態１）、案内溝の内部に案内レールが設けられた案内構造（実施形態２）、及び、定規本体１１０の上面に案内レールが直接設けられた案内構造（実施形態３）を備えるものであるが、本発明はこれに限定されるものではない。例えば、案内溝の内部に貫通孔も案内レールも設けられていない案内構造を備えるもの（図示せず）であってもよい。
【００５２】
（２）上記各実施形態に係る定規は、指針として、可動プレートの上面に針を貼り付けた指針（実施形態１，２）、又は、可動プレートの下面に針を貼り付けた指針（実施形態３）、を備えるものであるが、本発明はこれに限定されるものではない。例えば、可動プレートの上面や下面に針を埋め込んだ指針を備えるもの（図示せず）であってもよい。
【００５３】
（３）本発明の定規は、定規本体の底面側に磁石が取り付けられているものであってもよい。図７は、変形例１に係る定規１０３を説明するために示す図である。図７（ａ）は定規１０３の底面図であり、図７（ｂ）は図７（ａ）のＡ−Ａ断面図である。また、図８は、変形例２に係る定規１０４を説明するために示す図である。図８（ａ）は定規１０４の底面図であり、図８（ｂ）は図８（ａ）のＡ−Ａ断面図である。
【００５４】
本発明の、定規は、図７に示すように、定規本体１１０の底面にシート状磁石１４０を貼り付けたものであってもよい。また、図８に示すように、定規本体１１０の底面側に設けた円柱状凹部に円柱状磁石１４１を嵌め込んだものであってもよい。このように構成することにより、製図板や黒板などといった磁性体にものにくっつき固定され、定規がずれず使いやすく作業しやすい状態をつくることができる。
【符号の説明】
【００５５】
１００，１０１，１０２，１０３，１０４…定規
１１０…定規本体
１１１…目盛部
１１２…案内構造
１１３…案内溝
１１４…第２案内溝（貫通孔）
１１５…コンパス針挿入用孔
１１６…第２コンパス筆記具芯挿入用孔
１１７，１１８…案内レール
１２０…可動プレート
１２１…可動プレート本体
１２２…可動プレート凸部
１２３…コンパス筆記具芯挿入用孔
１２４…指針
１３０…コンパス
１３１…コンパス針
１３２…コンパス筆記具芯
１３３…コンパス針支持脚
１３４…コンパス筆記具芯支持脚
１３５…中心機構
１３６…手持ち部
１４０…シート状磁石
１４１…円柱状磁石
【要約】
【課題】コンパスとともに使用することで、簡単な操作で、かつ、紙を汚さずに円を描くことができ、さらには、常に安全に使用可能な定規を提供する。
【解決手段】コンパスの針と筆記具芯との間隔を任意に設定する機能を有する定規であって、少なくとも一方の長辺に沿って設けられた目盛部１１１、目盛部１１１の原点に対応する位置に設けられたコンパス針挿入用孔１１５、及び、目盛部１１１に沿って設けられた案内構造１１２を有する定規本体１１０と、案内構造１１２に沿って移動可能な可動プレートであって、案内構造１１２に沿って移動したときに目盛部１１１に沿った自身の位置を読み取るために目盛部１１１のいずれかの部分を指す指針１２４、及び、指針１２４が指す部分に対応する位置に設けられたコンパス筆記具芯挿入用孔１２３を有する可動プレート１２０とを備える定規１００。
【選択図】図１【図１】
0005632552.tif 000002
【図２】
0005632552.tif 000003
【図３】
0005632552.tif 000004
【図４】
0005632552.tif 000005
【図５】
0005632552.tif 000006
【図６】
0005632552.tif 000007
【図７】
0005632552.tif 000008
【図８】
0005632552.tif 000009
【図９】
0005632552.tif 000010
【図１０】
0005632552.tif 000011